(57)【特許請求の範囲】
【請求項１】
原水のクラスターを細かくする第１天然鉱石浸漬処理工程、逆浸透膜を主とする複数の浄水工程の組合せからなる純水生成工程、該純水生成工程で生成された純水を天然鉱石と接触させてミネラル分を付与するミネラル分付与工程、生成されたミネラルウォーターをタンクに貯留するミネラルウォーター貯留工程、タンクに貯留されたミネラルウォーターを殺菌しながら分与するミネラルウォーター滅菌分与工程からなることを特徴とするミネラルウォーター生成分与システム。
【請求項２】
前記天然鉱石がトルマリンであり、前記生成されたミネラルウォーターは、マイナスイオンを含むマイナスイオン水である請求項１に記載のミネラルウォーター生成分与システム。
【請求項３】
前記純水生成工程が、主に塩素や有機化合物を除去する第１浄水工程、主に石灰分や金属類を除去する第２浄水工程、主に泥・錆・水垢を除去する第３浄水工程、主にトリハロメタン・ウィルス・バクテリア・無機塩類を除去する第４浄水工程の組合せからなる請求項１又は２に記載のミネラルウォーター生成分与システム。
【請求項４】
前記ミネラル分付与工程が、流水をトルマリンフィルターを通過させることにより、トルマリン含有のミネラル分を溶出させると共にマイナスイオンを発生させてマイナスイオン水を生成させる工程と、トルマリンが浸漬している第２次天然鉱石浸漬タンクに貯水することにより、トルマリン含有のミネラル分とマイナスイオンを付加しながら貯留するマイナスイオン水貯水工程からなる請求項１〜３の何れかに記載のミネラルウォーター生成分与システム。
【請求項５】
前記ミネラルウォーター滅菌分与工程が、臭素を除去するポスト浄水工程、ミネラルウォーターを紫外線殺菌する殺菌処理工程を経て、蛇口よりマイナスイオン水を分与するようにしてなる請求項１〜４の何れかに記載のミネラルウォーター生成分与システム。
【発明の詳細な説明】
【０００１】
【発明の属する技術分野】
本発明は、水道水や井戸水を自然の浄化システムで得られる岩清水と同様においしく且つマイナスイオンを多く含むように改質したミネラルウォーターを、生成貯留して分与するミネラルウォーター生成分与システムに関する。
【０００２】
【従来の技術】
近年、健康志向の高まり及び嗜好の多様化により、多種類のボトル詰めミネラルウォーターが多く市販され、飲料水、料理用水として、多用されている。しかしながら、ボトル詰めミネラルウォーターは、高価で水道水に比べてかなり割高であり、水道水と同様に料理水等に多用するのにコスト面で制限を受ける。しかも、ボトル詰めミネラルウォーターは、原水を浄化・改質処理してボトル詰めされるが、製造処理後流通過程で長時間経過することにより劣化が進行するので、例えば、雨水が地下鉱石を通り山麓から湧き出る岩清水と同様においしく且つマイナスイオンを多く含むマイナスイオン天然水を得ることは、市販のボトル詰めミネラルウォーターには期待できない。
【０００３】
一方、家庭用浄水器としては、活性炭フィルターによる活性炭吸着式、セラミツク吸着式、及び化学繊維フィルター濾過式、逆浸透膜ろ過式等があり、さらにそれらの方式に、紫外線殺菌効果を付加したり、アルカリイオン水・酸性イオン水・ミネラル水に改質させる水質改質効果を付加したものも知られている。しかしながら、従来の家庭用浄水器は、高価である反面、一般に浄水機能が単一方式しか有してなく、それぞれの方式は一長一短であり、家庭用浄水器で完全に浄水して純水状態を得ることは困難である。また、逆浸透膜ろ過式と活性炭フィルターとを組み合わせることにより、比較的高清浄水を得ることができるが、このように処理された水にはミネラル分やマイナスイオンは含まれてないので、家庭内で設置されてる小型の浄水器又は整水器で天然の岩清水と同様においしく且つマイナスイオンを多く含むマイナスイオン天然水は得ることはできない。
【０００４】
【発明が解決しようとする課題】
本発明は、上記実情に鑑み創案されたものであって、店頭などで雨水が地下鉱石を通り山麓から湧き出る岩清水の原理を再現して、汚染や不純物の混入がない地下鉱石による自然の浄化システムで得られる岩清水と同様においしく且つマイナスイオンを多く含むマイナスイオンミネラルウォーターを水道水等から製造でき、その場で持参した容器等に分与することによって、消費者に製造直後のマイナスイオンを多く含むミネラルウォーターを必要な量だけ安価に提供できるようにしたミネラルウォーター生成分与システムを提供することを目的とするものである。
【０００５】
【課題を解決するための手段】
上記問題点を解決する本発明のミネラルウォーター生成分与システムは、天然鉱石が浸漬したタンクを通すことにより原水のクラスターを細かくする第１天然鉱石浸漬処理工程、逆浸透膜を主とする複数の浄水工程の組合せからなる純水生成工程、該純水生成工程で生成された純水を天然鉱石と接触させてミネラル分を付与するミネラル分付与工程、生成されたミネラルウォーターをタンクに貯留するミネラルウォーター貯留工程、タンクに貯留されたミネラルウォーターを殺菌しながら分与するミネラルウォーター滅菌分与工程からなることを特徴とするものである。
【０００６】
前記天然鉱石としてトルマリンを採用することによって、マイナスイオンを含むマイナスイオンミネラル水を得ることができる。また、例えば、医王石、麦飯石等他の天然鉱石を採用することによって、それらの天然鉱石に含まれているミネラル分を溶出させた好みのミネラルウォーターを得ることもできる。また、前記純水生成工程としては、主に塩素や有機化合物を除去する第１浄水工程、主に石灰分や金属類を除去する第２浄水工程、主に泥・錆・水垢を除去する第３浄水工程、主にトリハロメタン・ウィルス・バクテリア・無機塩類を除去する第４浄水工程の組合せからなることが望ましいが、必ずしもその組合せに限定されるものではない。
【０００７】
さらに、前記ミネラル分付与工程は、流水をトルマリンフィルターに通過させることにより、トルマリン含有のミネラル分を溶出させると共にマイナスイオンを発生させてマイナスイオン水を生成させる工程と、トルマリンが浸漬している第２次天然鉱石浸漬タンクに貯水することにより、トルマリン含有のミネラル分とマイナスイオンを付加しながら貯留するマイナスイオン水貯水工程とで構成することによって、分与の多少に関わらず常にマイナスイオンが多く含まれ状態のミネラルウォーターを分与することができる。またミネラルウォーター滅菌分与工程が、僅かな臭素を除去するポスト浄水工程、マイナスイオン水を紫外線殺菌する殺菌処理工程へて、蛇口よりマイナスイオン水を分与するようにすることによって、より完全に殺菌されたマイナスイオン水を分与することができる。そして、第２次天然鉱石浸漬タンクに貯留しているイオン水を第２次天然鉱石浸漬タンクと紫外線殺菌灯間で常に循環させることにより、常に殺菌処理が行われ、望ましい。
【０００８】
【発明の実施の形態】
本実施形態のミネラルウォーター生成分与システムは、雨水が地下鉱石を通り山麓から湧き出る岩清水の原理を再現して、汚染や不純物の混入がまったくない自然の浄化システムで得られる岩清水と同様においしく且つマイナスイオンを多く含むマイナスイオン天然水を水道水等から製造して貯留し、随時分与できるようにしたものであり、その用途は特に限定されるものではないが、家庭用あるいは事業所等における飲料水や料理用水向けに、マイナスイオン天然水を製造して、店頭に持参した容器に分与して販売するのに、好適なマイナスイオン天然水製造装置である。
【０００９】
以下、本発明の実施形態を図面に基づき詳細に説明する。
図１は、本発明の実施形態に係るミネラルウォーター生成分与システムを示している。本実施形態のミネラルウォーター生成分与システムは、水のクラスターを細かくする第１天然鉱石浸漬処理工程▲１▼、主に塩素や有機化合物を除去する第１浄水工程▲２▼、主に石灰分や金属類を除去する第２浄水工程▲３▼、主に泥・錆・水垢を除去する第３浄水工程▲４▼、主にトリハロメタン・ウィルス・バクテリア・無機塩類を除去する第４浄水工程▲５▼、マイナスイオン水を生成するマイナスイオン水生成工程▲６▼、生成されたマイナスイオン水を天然鉱石に浸漬して貯水するマイナスイオン水貯水工程▲７▼、残った僅かな臭素を除去するポスト浄水工程▲８▼、マイナスイオン水を紫外線殺菌する殺菌処理工程▲９▼から構成されている。
【００１０】
図中、１は内部に天然トルマリンが挿入されている第１次天然鉱石浸漬タンクであり、電磁弁等を介して水道栓に連結され、常に一定量の水道水が貯留されて、水道水にトルマリンを浸漬して接触させることにより、トルマリンの作用で水のクラスターを細かくする。このようにまず水道水のクラスターを細かくしてから、次のような逆浸透膜を主とする４段階の浄水工程を経て水道水をほぼ純水状態にする。浄水処理は、まず前記第１次天然鉱石浸漬タンク１にカーボンフィルター２を連結し、第１次天然鉱石浸漬タンクからの水を通過させて、活性炭の吸着作用により塩素イオンや有機化合物等の有害物質を吸着して除去する。次いで、内部にイオン交換樹脂を有するソフナー３を通過させることにより、それに含まれている石灰や金属成分を吸着して、水道水を軟水に改質する。
【００１１】
さらに、セディメントフィルター４を通過させる。セディメントフィルターは、５μｍ程度の化学繊維濾過フィルターであり、泥、赤錆、水垢等を除去する機能を有する。そして、最後に逆浸透膜フィルター５１、又は５２を通過させることにより、逆浸透膜作用によりトリハロメタン、ウィルス、バクテリア、無機塩類等の微粒な有害物質を除去する。水道水は、以上の浄水工程を経ることにより、自然の浄化システムと同様に鉱石を通過してクラスターが細かくされてから、それぞれの機能を有するフィルターで、塩素・有機化合物、石灰・金属、泥・錆・水垢、トリハロメタン、ウィルス、バクテリア、無機塩類の除去が行われるので、効率良く浄水されて純水状態になる。このようにして得られた純水をさらに、以下のようにして、天然鉱石である天然トルマリンやその他の鉱石と組み合わせることにより、岩清水に匹敵するマイナスイオンやミネラルを多く含む清浄な天然水が得られる。
【００１２】
図の実施形態においては、まず直列に連結された複数個（本実施形態では３個）のトルマリンフィルター６に連続的に通過させることによって、流水がトルマリンフィルターに含有されているトルマリンに刺激を与えて、マイナスイオンを効果的に発生させ、水をマイナスイオン水に改質する。トルマリンは、水中で使用すると微弱電流によりマイナスイオンを発生するが、静止状態では僅かなマイナスイオンしか発生しない。ところが前記のように流水によりトルマリンに刺激を与えることによって多くのマイナスイオンを発生させることができるので、本実施形態では効率的にマイナスイオンを発生させて清浄水に付加することができる。このようにしてマイナスイオンが付加されたイオン水は、第２次天然鉱石浸漬タンク７に貯留されて、供給に備えられる。第２次天然鉱石浸漬タンク７には、内部に天然トルマリン鉱石が収納され、前工程で浄化・マイナスイオンが付加されたマイナスイオン水をさらにトルマリンに漬け込んで貯留することによって、水のクラスターがさらに細かくされ、刺激のないまろやかな水に改質すると共に、トルマリンの作用でマイナスイオン状態を維持して貯留される。
【００１３】
そして、第２次天然鉱石浸漬タンク７に貯留されたマイナスイオン水は、該タンクの下部に連結されたポストカーボンフィルター８を通ることにより、僅かにでも残っている臭気を完全に除去し、さらに、最終工程である紫外線殺菌灯９を通過して、最終的に殺菌されて蛇口１０から容器等に給水される。また、給水を行わない場合は、図で破線で示すように、第２次天然鉱石浸漬タンク７に貯留されたマイナスイオン水は、ポストカーボンフィルター８、紫外線殺菌灯９、第２次天然鉱石浸漬タンク７間を常時循環して、常に殺菌され、滅菌洗浄状態を維持している。なお、図において、１０、１１、１２は、それぞれ加圧ポンプであり、カーボンフィルター２、セディメントフィルター４、ポストカーボンフィルター８に送る水をそれぞれ加熱して、濾過効率を高めるようにしている。
【００１４】
以上の実施形態は、逆浸透膜がメインの浄化システムと天然トルマリン鉱石との組合せにより、無菌のマイナスイオン天然水を得る場合であるが、前記実施形態において、第１次天然鉱石浸漬タンク１、トルマリンフィルター６、及び第２次天然鉱石浸漬タンク７の天然鉱石を、例えば、他の鉱石やミネラル添加成分に変えることによって、好みの成分を多く含有するミネラルウォーターも得ることができる。
【００１５】
【発明の効果】
以上のように，本発明によれば、店頭などで雨水が地下鉱石を通り山麓から湧き出る岩清水の原理を再現して、汚染や不純物の混入がまったくない地下鉱石による自然の浄化システムで得られる岩清水と同様においしく且つマイナスイオンやミネラル分を多く含む、美味しく且つ健康に好影響をもたらすミネラルウォーターを水道水等から安価に製造でき、しかも、その場で持参した容器等に必要な量を分与することによって、消費者に製造直後のマイナスイオンを多く含むミネラルウォーターを必要な量だけ安価に提供することができる。
【図面の簡単な説明】
【図１】本発明のミネラルウォーター生成分与システムの実施形態を示すブロック線図である。
【符号の説明】
１  第１次天然鉱石浸漬タンク
２  カーボンフィルター
３  ソフナー
４  セディメントフィルター
５  逆浸透膜フィルター
６  トルマリンフィルター
７  第２次天然鉱石浸漬タンク
８  ポストカーボンフィルター
９  紫外線殺菌灯
１０〜１２  加圧ポンプ
【図１】
0004132874.tif 000002